(57)【要約】【課題】体型が異なる人であっても十分に対処できる【解決手段】患部保護具１０の左方バンド部２１の第１分割体２３と右方バンド部３１の第１分割体３３をだらりと垂れ下げ、肛門に面する部分に脱脂綿入りガーゼ１７を載せながら、第２分割体２５の他端２５ｂと第２分割体３５の他端３５ｂとを引っ張るようにして股下から腹側へと通し、自分のお腹の大きさに合うように、左方バンド部２１の第２分割体２５のループ面２６と第１分割体２３のフック面２４とを自分の腹側で重ね合わせて両者をくっつけると共に、右方バンド部３１の第２分割体３５のループ面３６と第１分割体３３のフック面３４とを自分の腹側で重ね合わせて両者をくっつける。この各ループ面と各フック面は長手方向に１０〜２０ｃｍの長さを持っているため、お腹の大きさの異なる人であってもこの長さに応じた範囲内であれば装着することができる。【選択図】　　　　図１
2004105508.tif 000002
【特許請求の範囲】
【請求項１】
人の股下周辺の患部を保護するための患部保護具であって、
人の腰回りに着脱可能なベルト部と、
人の背側から股下を通って左腹側へ架け渡されるように前記ベルト部に取り付けられ長さ調節が可能な左方バンド部と、
人の背側から股下を通って右腹側へ架け渡されるように前記ベルト部に取り付けられ長さ調節が可能な右方バンド部と
を備えた患部保護具。
【請求項２】
前記左方バンド部と前記右方バンド部とによって前記患部に押し当てられる患部被覆部
を備えた請求項１に記載の患部保護具。
【請求項３】
前記左方バンド部及び前記右方バンド部は、それぞれ、一端が前記ベルト部の腹側に取り付けられ他端が自由端である第１分割体と一端が前記ベルト部の背側に取り付けられ他端が自由端である第２分割体とからなり、前記第１分割体の自由端と前記第２分割体の自由端とが長さ調節可能且つ着脱可能に接続される
請求項１又は２に記載の患部保護具。
【請求項４】
前記第１分割体の自由端と前記第２分割体の自由端とは面ファスナにより接続される
請求項３に記載の患部保護具。
【請求項５】
前記第１分割体の自由端と前記第２分割体の自由端とは人の腹側で接続される
請求項３又は４に記載の患部保護具。
【請求項６】
前記第１分割体の自由端の前面側に面ファスナの一方が設けられ、前記第２分割体の自由端の裏面側に前記面ファスナの他方が設けられ、前記面ファスナの一方と他方とは人の腹側で接続される
請求項３〜５のいずれかに記載の患部保護具。
【請求項７】
前記第１分割体と前記第２分割体の少なくとも一方は伸縮性を有している請求項３〜６のいずれかに記載の患部保護具。
【発明の詳細な説明】
【０００１】
【発明の属する技術分野】
本発明は、人の患部を保護する患部保護具に関する。
【０００２】
【従来の技術】
従来、この種の患部保護具としては、例えば特許文献１に開示されているものが知られている。この特許文献１に開示されている患部保護具は、図３に示すように、人の腰回りに着脱可能なベルト部５１と、人の背側から股下を通って左腹側へ架け渡されるようにベルト部５１に取り付けられた左方バンド部５３と、人の背側から股下を通って右腹側へ架け渡されるようにベルト部５１に取り付けられた右方バンド部５５と、左方バンド部５３及び右方バンド部５５によって股下周辺の患部を覆うように支持された柔軟な吸水性シート５７とを備えている。
【０００３】
【特許文献１】
特開平６−３１５４９４
【０００４】
【発明が解決しようとする課題】
しかしながら、図３の患部保護具では、左方バンド部５３及び右方バンド部５５は伸縮性を有しているため体型が異なる場合であってもある程度は対処できるが、例えば肥満体で大きくお腹が出っ張っている体型の人や痩せすぎでお腹の出っ張りがほとんどない体型の人に対しては伸縮性だけで対処しきれないという問題があった。
【０００５】
本発明は、このような問題を解決するためになされたものであり、体型が異なる人であっても十分に対処できる患部保護具を提供することを目的とする。
【０００６】
【課題を解決するための手段及びその作用・効果】
本発明は、人の股下周辺の患部を保護するための患部保護具であって、
人の腰回りに着脱可能なベルト部と、
人の背側から股下を通って左腹側へ架け渡されるように前記ベルト部に取り付けられ長さ調節が可能な左方バンド部と、
人の背側から股下を通って右腹側へ架け渡されるように前記ベルト部に取り付けられ長さ調節が可能な右方バンド部と
を備えたものである。
【０００７】
本発明の患部保護具では、左方バンド部及び右方バンド部は長さ調節が可能なため、例えば肥満体で大きくお腹が出っ張っている体型の人であれば両バンド部の長さを長くするとうまく着用することができ、痩せすぎでお腹の出っ張りがほとんどない体型の人であれば両バンド部の長さを短くするとうまく着用することができる。このように、本発明の患部保護具によれば、体型が異なる人であっても十分に対処できる。なお、「人の股下周辺」とは、尾骨から肛門、性器を経て臍下に至るまでの部位及びその周辺をいう。
【０００８】
本発明の患部保護具は、前記左方バンド部と前記右方バンド部とによって前記患部に押し当てられる患部被覆部を備えていてもよい。こうすれば、患部は患部被覆部によって適切に保護される。このとき、患部被覆部は、患部を被覆した際に患部を傷つけたり人が違和感を感じたりしないような柔軟な材料で作成されていることが好ましく、血液や体液等が付着する患部を被覆する場合にはこれらを十分吸い取ることのできる吸水性を有する材料（例えばガーゼ、脱脂綿、高分子吸収シートなど）で作成されていることが好ましい。また、患部被覆部は、左方バンド部や右方バンド部に取り付けられておらず両バンド部の締付力によって患部に押し当てられるようにしてもよいし、少なくとも一方のバンド部に取り付けられていてもよい。
【０００９】
本発明の患部保護具において、前記左方バンド部及び前記右方バンド部は、それぞれ、一端が前記ベルト部の腹側に取り付けられ他端が自由端である第１分割体と一端が前記ベルト部の背側に取り付けられ他端が自由端である第２分割体とからなり、前記第１分割体の自由端と前記第２分割体の自由端とが長さ調節可能且つ着脱可能に接続されるようにしてもよい。こうすれば、第１分割体と第２分割体とをどの程度重ね合わせるかによって長さ調節が可能となり、本発明の患部保護具を簡単に実現できる。
【００１０】
本発明の患部保護具において、各バンド部が第１分割体と第２分割体とから成る場合、第１分割体の自由端と第２分割体の自由端とは面ファスナにより接続されることが好ましい。こうすれば、第１分割体と第２分割体とをどの程度重ね合わせた状態で面ファスナをくっつけるかによって長さ調節が可能となり、本発明の患部保護具を簡単に実現できる。
【００１１】
本発明の患部保護具において、各バンド部が第１分割体と第２分割体とから成る場合、第１分割体の自由端と第２分割体の自由端とは人の腹側で接続されることが好ましい。こうすれば、第１分割体の自由端と第２分割体の自由端とを接続する操作を目で見ながら行うことができるため操作しやすい。
【００１２】
本発明の患部保護具において、各バンド部が第１分割体と第２分割体とから成る場合、第１分割体の自由端の前面側に面ファスナの一方が設けられ、第２分割体の自由端の裏面側に面ファスナの他方が設けられ、この面ファスナの一方と他方とは人の腹側で接続されることが好ましい。こうすれば、一端がベルト部の腹側に取り付けられた第１分割体の自由端を垂らした状態で、一端がベルト部の背側に取り付けられた第２分割体の自由端を掴んで人の腹側で第１分割体の自由端に接続することができるため、操作しやすい。
【００１３】
本発明の患部保護具において、各バンド部が第１分割体と第２分割体とから成る場合、第１分割体と第２分割体の少なくとも一方は伸縮性を有していることが好ましい。こうすれば、各バンド部は伸縮性を有することになるため、例えば患部被覆部を患部に押し当てる場合に患部被覆部を患部からずれないようにしっかりと支持することができる。
【００１４】
本発明の患部保護具において、左方バンド部と右方バンド部とは、それぞれ独立した部材であってもよいし、人の背側で一体となっており人の腹側で左右に分かれている部材であってもよい。また、ベルト部、左方バンド部及び右方バンド部は、人が着用した際に違和感を感じることがないような柔軟な材料で作成されていることが好ましく、また伸縮性を有する材料で作成されていることが好ましい。
【００１５】
【発明の実施の形態】
次に、本発明の実施の形態を図面に基づいて説明する。図１は、本実施形態の患部保護具の斜視図である。この患部保護具１０は、人の腰回りに着脱可能なベルト部１１と、人の背側から股下を通って左腹側へ架け渡されるようにベルト部１１に取り付けられた左方バンド部２１と、人の背側から股下を通って右腹側へ架け渡されるようにベルト部１１に取り付けられた右方バンド部３１とを備えている。
【００１６】
ベルト部１１は、柔軟性・伸縮性を有する材料で作成され、一端１１ａに面ファスナのループ面１３が取り付けられ、他端１１ｂに面ファスナのフック面１５が取り付けられ、人の腰の回りに巻いたときにループ面１３とフック面１５とを重ね合わせてくっつけて使用されるものである。このループ面１３及びフック面１５は、いずれもベルト部１１の長手方向に沿って１０〜２０ｃｍの長さを有している。
【００１７】
左方バンド部２１は、柔軟性・伸縮性を有する材料で作成され、一端２３ａがベルト部１１の腹側に取り付けられ他端２３ｂが自由端である第１分割体２３と一端２５ａがベルト部１１の背側に取り付けられ他端２５ｂが自由端である第２分割体２５とから構成される。第１分割体２３の他端２３ｂには、正面側（人に面していない側）に面ファスナのフック面２４が設けられ、第２分割体２５の他端２５ｂには、裏面側（人に面している側）に面ファスナのループ面２６が設けられている。そして、第２分割体２５の他端２５ｂを人の背側から股下を通して左腹側に持ってきた状態で、その他端２５ｂに設けられたループ面２６と第１分割体２３の他端２３ｂに設けられたフック面２４とをくっつけて使用する。このフック面２４及びループ面２６は、いずれも左方バンド部２１の長手方向に沿って１０〜２０ｃｍの長さを有している。
【００１８】
右方バンド部３１は、柔軟性・伸縮性を有する材料で作成され、一端３３ａがベルト部１１の腹側に取り付けられ他端３３ｂが自由端である第１分割体３３と一端３５ａがベルト部１１の背側に取り付けられ他端３５ｂが自由端である第２分割体３５とから構成される。第１分割体３３の他端３３ｂには、正面側（人に面していない側）に面ファスナのフック面３４が設けられ、第２分割体３５の他端３５ｂには、裏面側（人に面している側）に面ファスナのループ面３６が設けられている。そして、第２分割体３５の他端３５ｂを人の背側から股下を通して右腹側に持ってきた状態で、その他端３５ｂに設けられたループ面３６と第１分割体３３の他端３３ｂに設けられたフック面３４とをくっつけて使用する。このフック面３４及びループ面３６は、いずれも右方バンド部３１の長手方向に沿って１０〜２０ｃｍの長さを有している。
【００１９】
なお、本実施形態では、１本の帯状部材の中央部分をベルト部１１の背側に架けて折り返すことにより、左方バンド部２１の第２分割体２５と右方バンド部３１の第２分割体３５としており、折り返し部分にてベルト部１１に縫製されている。また、両第２分割体２５，３５は肛門の周辺部分にて一体となるように縫製され、その結果肛門に面する部分は幅が広くなっている。
【００２０】
次に、本実施形態の患部保護具１０の使用例について説明する。ここでは、痔病を患っている患者がこの患部保護具１０を使用する場合を例に挙げて説明する。まず、患者は、下着を脱いだ状態で患部保護具１０のベルト部１１を腰骨の上辺りで巻き付け、自分のウェストサイズに合うようにループ面１３とフック面１５とを重ね合わせて両者をくっつける。このループ面１３とフック面１５はベルト部１１の長手方向に１０〜２０ｃｍの長さを持っているため、ウェストサイズの異なる人であってもこの長さに応じた範囲内であれば装着することができる。また、ウェストサイズが大きな人の場合、ループ面１３が皮膚に触れることがあるが、一般にループ面はフック面に比べて柔らかいため違和感を感じにくい。
【００２１】
続いて、左方バンド部２１の第１分割体２３と右方バンド部３１の第１分割体３３をだらりと垂れ下げる。この状態で、左方バンド部２１の第２分割体２５と右方バンド部３１の第２分割体３５とが縫製により一体化された肛門に面する部分に患部被覆部である脱脂綿入りガーゼ１７を載せながら、第２分割体２５の他端２５ｂと第２分割体３５の他端３５ｂとを引っ張るようにして股下から腹側へと通し、自分のお腹の大きさに合うように、左方バンド部２１の第２分割体２５のループ面２６と第１分割体２３のフック面２４とを自分の腹側で重ね合わせて両者をくっつけると共に、右方バンド部３１の第２分割体３５のループ面３６と第１分割体３３のフック面３４とを自分の腹側で重ね合わせて両者をくっつける。この各ループ面と各フック面は長手方向に１０〜２０ｃｍの長さを持っているため、お腹の大きさの異なる人であってもこの長さに応じた範囲内であれば装着することができる。また、お腹が大きな人の場合、ループ面２６，３６が皮膚に触れることがあるが、一般にループ面はフック面に比べて柔らかいため違和感を感じにくい。これにより、脱脂綿入りガーゼ１７は、左方バンド部２１や右方バンド部３１の締付力によって患部である肛門付近にずれないように押し当てられる。
【００２２】
以上詳述した本実施形態の患部保護具１０では、左方バンド部２１及び右方バンド部３１は長さ調節が可能なため、例えば肥満体で大きくお腹が出っ張っている体型の人であれば両バンド部２１，３１の長さを長くするとうまく着用することができ、痩せすぎでお腹の出っ張りがほとんどない体型の人であれば両バンド部２１，３１の長さを短くするとうまく着用することができる。したがって、この患部保護具１０によれば、体型が異なる人であっても十分に対処できる。この結果、例えば、体型に合わせてＳ，Ｍ，Ｌなどの多数の種類を製造する必要がなくなるため、量産しやすくなり低価格で患者に提供することができる。
【００２３】
また、左方バンド部２１と右方バンド部３１とによって脱脂綿入りガーゼ１７を患部である肛門付近を押し当てるため、患部が適切に保護される。
【００２４】
更に、左方バンド部２１は第１分割体２３に設けたフック面２４と第２分割体２５に設けたループ面２６とをどの程度重ね合わせるかによって簡単に長さ調節が可能であり、右方バンド部３１も同様に長さ調節が可能なため、この患部保護具１０を簡単に作成することができる。しかも、重ね合わせる操作は自分の腹側で目で見ながら行うため操作しやすい。
【００２５】
更にまた、左方バンド部２１の第１分割体２３の自由端である他端２３ｂを垂らした状態で第２分割体２５の自由端である他端２５ｂを掴んで腹側で第１分割体２３に接続することができ、右方バンド部３１も同様であるため、操作しやすい。
【００２６】
そしてまた、左方バンド部２１の第１分割体２３と第２分割体２５、右方バンド部３１の第１分割体３３と第２分割体３５はいずれも伸縮性を有しているため、脱脂綿入りガーゼ１７を患部に押し当てる場合に患部からずれないようにしっかりと支持することができる。
【００２７】
なお、本発明は上述した実施形態に何ら限定されるものではなく、本発明の技術的範囲に属する限り種々の態様で実施し得ることはいうまでもない。
【００２８】
例えば、上述した実施形態では、左方バンド部２１と右方バンド部３１の長さ調節を面ファスナで行ったが、例えば図２に示すように左方バンド部２１につき第１分割体２３の他端２３ｂにバックル２７を取り付け、このバックル２７に第２分割体２５の他端２５ｂを通して折り返したあと締付用リング２９に通し、この締付用リング２９をバックル２７に向かって移動させることにより長さ調節を行ってもよい。この場合、長さ調節は第２分割体２５の他端２５ｂを折り返す長さによって行うことができる。右方バンド部３１も同様である。
【００２９】
また、上述した実施形態では、左方バンド部２１の第１分割体２３の正面側にフック面２４、第２分割体２５の裏面側にループ面２６を設けたが、第１分割体２３の裏面側にループ面、第２分割体２５の正面側にフック面を設けてもよい。右方バンド部３１も同様である。
【図面の簡単な説明】
【図１】本実施形態の患部保護具の斜視図である。
【図２】他の長さ調節を例示する説明図である。
【図３】従来の患部保護具の斜視図である。
【符号の説明】
１０　患部保護具、１１　ベルト部、１３　ループ面、１５　フック面、１７　脱脂綿入りガーゼ、２１　左方バンド部、２３　第１分割体、２４　フック面、２５　第２分割体、２６　ループ面、３１　右方バンド部、３３　第１分割体、３４　フック面、３５　第２分割体、３６　ループ面。
【図１】
2004105508.tif 000003
【図２】
2004105508.tif 000004
【図３】
2004105508.tif 000005